(57)【要約】【課題】体に負担をかけずに、かつ美しいシルエットを演出できるドレスを提供する。【解決手段】身体の上半身に着用される上半身部１０と、上半身部１０に縫合されたスカート２０とを備え、スカート２０と上半身部１０とのウエスト切り替え線３１は、身体の正面中心においてウエストラインＷＬよりも上方から、左右の両脇に向けてウエストラインＷＬよりも下方へ下がるように形成されている。【選択図】  図１
2020007672.tif 000002
【特許請求の範囲】
【請求項１】
身体の上半身に着用される上半身部と、前記上半身部に縫合されたスカートとを備え、
前記スカートと前記上半身部とのウエスト切り替え線は、身体の正面中心においてウエストラインよりも上方から、左右の両脇に向けて下方へ下がるように形成されている
ことを特徴とするドレス。
【請求項２】
請求項１に記載するドレスにおいて、
前記ウエスト切り替え線は、身体の脇線においては、ウエストラインよりも下方に位置している
ことを特徴とするドレス。
【請求項３】
請求項１又は請求項２に記載するドレスにおいて、
前記ウエスト切り替え線は、身体の脇線よりも前方側においては上方に凸となる曲線を有し、身体の脇線よりも後方側においては下方に凸となる曲線を有している
ことを特徴とするドレス。
【発明の詳細な説明】
【技術分野】
【０００１】
本発明は、女性用のドレスに関し、特に、妊婦等、体型、体調に不安がある人に適したウエディングドレスに関する。
【背景技術】
【０００２】
女性の社会進出が進み、晩婚化も増えている。また、不妊症に悩む方々も相当数おり、出生率も低下している。このような昨今の社会背景のもとでは、以前とは異なり、結婚時に妊娠している女性は授かり婚等の形で歓迎される傾向にある。したがって、妊娠した女性向けのウエディングドレスの需要は高い。
【０００３】
しかしながら、妊娠した女性は腹部及び胸部のサイズが日々増大することから、挙式時の体型を予測し、自身に適合したサイズのウエディングドレスを挙式前に作製することは困難である。実際には、挙式時に想定される腹部の大きさにあわせてウエディングドレスの号数を選択し、背面のゴムとサイドの紐で調整しているのが現状である。
【０００４】
このような調整によって対応できる場合もあるが、腹部のサイズに合わせてウエディングドレスの号数を選択すると、ウエディングドレスのバスト、チェストの部分が体から離れてしまう。このため、フィット感が失われ、ウエディングドレスの本来のシルエットが崩れ、美しいラインの演出が難しい。
【０００５】
従来技術では、ゴムの伸縮により腹部の増減に合わせて体型にフィットするような衣服が提案されているが、上述したようなウエディングドレスの本来のシルエットを美しく演出するものではなかった。また、腹部に圧迫感を与えるため、望ましいものではなかった。
【０００６】
なお、このような問題は、妊婦用のウエディングドレスのみならず、体型の大きな女性用のドレスについても同様に存在する。
【先行技術文献】
【特許文献】
【０００７】
【特許文献１】特開２００２−３２７３１１号公報
【発明の概要】
【発明が解決しようとする課題】
【０００８】
本発明は、このような事情に鑑み、体に負担をかけずに、かつ美しいシルエットを演出できるドレスを提供することを目的とする。
【課題を解決するための手段】
【０００９】
上記目的を達成するための第１の態様は、身体の上半身に着用される上半身部と、前記上半身部に縫合されたスカートとを備え、前記スカートと前記上半身部とのウエスト切り替え線は、身体の正面中心においてウエストラインよりも上方から、左右の両脇に向けて下方へ下がるように形成されていることを特徴とするドレスにある。
【００１０】
第１の態様では、ウエストの位置を高くすることにより、腹部に対して負担をかけることなく可動し、ゆとりを与える。また、下半身を長く見せる効果がある。
【００１１】
本発明の第２の態様は、第１の態様に記載するドレスにおいて、前記ウエスト切り替え線は、身体の脇線においては、ウエストラインよりも下方に位置していることを特徴とするドレスにある。
【００１２】
第２の態様では、より一層ウエストのラインが強調されたドレスが提供される。
【００１３】
本発明の第３の態様は、第１又は第２の態様に記載するドレスにおいて、前記ウエスト切り替え線は、身体の脇線よりも前方側においては上方に凸となる曲線を有し、身体の脇線よりも後方側においては下方に凸となる曲線を有していることを特徴とするドレスにある。
【００１４】
第３の態様では、より一層ウエストのラインが強調されたドレスが提供される。
【発明の効果】
【００１５】
本発明によれば、体に負担をかけずに、かつ美しいシルエットを演出できるドレスが提供される。
【図面の簡単な説明】
【００１６】
【図１】従来及び本実施形態のウエディングドレスの正面図である。
【図２】従来及び本実施形態のウエディングドレスの側面図である。
【図３】従来及び本実施形態のウエディングドレスの背面図である。
【図４】本実施形態のウエディングドレスのウエスト部分の背面内部図である。
【図５】従来及び本実施形態のウエスト切り替え線を示す図である。
【図６】従来及び本実施形態のウエディングドレスの使用状態を表す側面図である。
【図７】ウエスト切り替え線を脇から背部にかけてウエストラインより下げることによる効果の相違を説明するための図である。
【図８】ウエディングドレスの実施例を示す写真である。
【図９】ウエディングドレスの比較例を示す写真である。
【発明を実施するための形態】
【００１７】
以下、本発明を実施するための形態について説明する。なお、実施形態の説明は例示であり、本発明は以下の説明に限定されない。
【００１８】
図１から図４を用いて従来及び本実施形態のウエディングドレスの構成について説明する。なお、図１〜図３の左側は従来のウエディングドレスであり、右側は本実施形態のウエディングドレスである。また、ＴＢＬはトップバストライン、ＵＢＬはアンダーバストライン、ＷＬはウエストライン、ＨＬはヒップラインを示している。また、図１（ａ）にはウエディングドレスの全体、図１（ｂ）にはウエディングドレスの上半身部分を示している。
【００１９】
本実施形態のウエディングドレス１は、身体の上半身に着用される上半身部１０と、上半身部１０に縫合されたスカート２０とを備えている。
【００２０】
詳細には、上半身部１０は、前身頃１１、前脇身頃１２、後脇身頃１３、後身頃１４、後背部１５、伸縮性があるゴム１６とから構成され、上半身の周りを覆う筒状に形成されている。
【００２１】
前身頃１１は、胸部から腹部にわたる正面に位置する生地からなり、前脇身頃１２は、脇から胸部正面にわたって位置する生地からなる。前身頃１１の左右の両辺には、前脇身頃１２がそれぞれ縫合されている。前身頃１１と前脇身頃１２との縫合部分をパネル切り替え線３０と称する。
【００２２】
左の前脇身頃１２の背中側と、右の前脇身頃１２の背中側にはそれぞれゴム１６が縫合されている。これらの２つのゴム１６を繋ぐように後背部１５が縫合されている。ゴム１６は、背中及び胴回りに伸縮するようになっている。また、後背部１５は、特に図示しないが、後中心線５２に沿うファスナーが設けられている。このようにして、前身頃１１、前脇身頃１２、ゴム１６、後背部１５が上半身を囲むように筒状になっている。
【００２３】
また、後脇身頃１３及び後身頃１４は、脇から背面にわたって位置する生地からなる。後脇身頃１３は、左右の前脇身頃１２の背中側の辺に縫合されている。さらに、後身頃１４は、左右の前脇身頃１２の背中側の辺に縫合されている。これらの後脇身頃１３と後身頃１４は、後背部１５やゴム１６の外側を覆うように位置しており、左右の後身頃１４は、紐１７で結び、サイズ調整することが可能となっている。
【００２４】
このような構成の上半身部１０は、スカート２０が縫合されている。上半身部１０とスカート２０との縫合部分をウエスト切り替え線３１と称する。
【００２５】
また、図１に示すようにウエディングドレス１の正面において上下方向に伸びる中心線を前中心線５０と称する。同様に、図２に示すようにウエディングドレスの側面において上下方向に伸びて脇を通る線を脇線５１と称する。さらに、図３に示すようにウエディングドレス１の背面において上下方向に伸びる中心線を後中心線５２と称する。
【００２６】
従来のウエディングドレス１００の各部の名称は、本実施形態のウエディングドレス１の各部の名称と同様であり、符号は１００を足したものとした。従来のウエディングドレス１００の各部の基本的な構造は、本実施形態のウエディングドレス１と同様であるので詳細な説明は省略する。
【００２７】
図５を用いて、ウエスト切り替え線の形状について詳細に説明する。図５はウエスト切り替え線を平面状に展開した状態を示す図である。
【００２８】
ウエスト切り替え線３１は、前中心線５０において、ウエストライン（ＷＬ）よりも上方から、左右の脇線５１に向けてウエストライン（ＷＬ）よりも下方に伸びている。換言すれば、ウエスト切り替え線３１は、左側の脇線５１から前中心線５０をとおり右側の脇線５１までの間で上方に凸となる半円状になっており、左右の脇線５１から後中心線５２の間で下方に凸となる弧状になっている。
【００２９】
図６は、従来及び本実施形態のウエディングドレスの使用状態を表す側面図であり、図７は、ウエスト切り替え線を脇から背部にかけてウエストラインより下げることによる効果の相違を説明するための図である。なお、図６は体型を透過させて表示し、図７は体型を透過させずに表示してある。
【００３０】
図７右側には、ウエスト切り替え線３１を脇から背部にかけてウエストラインより下げたウエディングドレス１が示されている。図７左側には、ウエスト切り替え線３１を脇から背中にかけて、従来のウエスト切り替え線１３１（図６左側参照）のようにほぼウエストライン近くに沿わせた以外は、ウエディングドレス１と同様であるウエディングドレス１Ａが示されている。
【００３１】
図５及び図７右側に示すようにウエスト切り替え線３１を形成することで、スカート２０の上部２１が半円状となる。この上部２１は、日々大きくなる腹部に対して十分に順応するので、腹部にゆとりが生まれ、腹部への負担を軽減することができる。
【００３２】
さらに、上述したようなウエスト切り替え線３１の形状としたことで、ウエスト切り替え線３１の位置が従来のウエディングドレスのウエスト切り替え線１３１よりも上方に位置する。ウエスト切り替え線３１は、ウエストの位置として見えるので、下半身を長く見せることができる。
【００３３】
また、図７の右側のウエディングドレス１に示すように、ウエスト切り替え線３１は、脇線５１においてウエストよりも下方に流れており、背面ではほぼヒップラインＨＬ近くまで降りている。このようなウエスト切り替え線３１とすることで、ウエストをより強調することができる。
【００３４】
図７の左側のウエディングドレス１Ａでは、ウエスト切り替え線３１は背面に向けて下方に下がってはいるものの、脇線５１ではウエストよりも上側にある。このようなウエディングドレス１Ａでは、スカート２０の後ウエスト部分２２（図７の左側の円で囲ったスカート２０の一部分）が周りをゴムで締め付けるため、タックができてしまい膨らんでしまう。
【００３５】
図７の右側のウエディングドレス１では、ウエスト切り替え線３１を上述のとおりとしたことで、後身頃１４がウエストラインＷＬより下方のヒップラインＨＬ近くまで達する。この後身頃１４のウエストラインＷＬからヒップラインＨＬ近くまでの部分（後ウエスト部分１９）により上記したスカート２０の後ろ側のウエスト回りの膨らみを抑えることができる。
【００３６】
この結果、着用者を横から見た際に、ウエストを細くすっきりとみえるようにすることができる。また、後脇身頃１３、後身頃１４でスカート２０の後ろ側のウエスト周りの膨らみを抑え、紐１７（図３参照）で締めることで、後背側のウエストのくびれを強調することができ、美しいシルエットを形成することができる。
【００３７】
また、図１（ｂ）に示すように、前身頃１１の幅Ｗ１と、前脇身頃１２の幅Ｗ２の比率（Ｗ１：Ｗ２）はおよそ４０：６０である。前身頃１１の幅とは、ＴＢＬ近辺の幅であって、前中心線５０からパネル切り替え線３０までの間の幅である。前脇身頃１２の幅とは、ＴＢＬ近辺の幅である。
【００３８】
図１に示すように、このように形成された前身頃１１及び前脇身頃１２は、胸部にフィットし、大きくなっていくバストを形良くコンパクトにみせることができる。また、図１や後述する図８に示すように、正面からみたときに、胸部周辺のシルエットをコンパクトで立体的で美しいものとすることができる。
【００３９】
従来のウエディングドレス１００及び本実施形態のウエディングドレス１における着用者の胸部が収まる部分の容積を同じと考え、上身頃（上半身部１０）を四角柱に例えるならば、従来のウエディングドレスの上身頃を正面から見たときの正面側の幅（前身頃の幅）は長いので、上身頃の表面積は比較的大きい。一方、本実施形態のウエディングドレス１を正面から見たときの正面側の幅を短くすることにより、上身頃を正面から見たときの表面積が小さくなる。つまり、上身頃の正面からの見え方は、正方形から、幅が短くなった長方形に近づく為、上半身がよりコンパクトに美しく見える。
【００４０】
また、バストが小さい人も、本実施形態の上身頃（上半身部１０）を作り上げると、立体的に見せることができ、女性らしい胸部を演出することができる。
【００４１】
なお、従来のウエディングドレス１００においては、腹部に余裕をあたえる上部２１がないので、ウエスト切り替え線１３１が腹部に与える負担が生じてしまう。また、前身頃１１１の幅Ｗ３は前身頃１１の幅Ｗ１より広く、前脇身頃１１２の幅Ｗ４は前脇身頃１２の幅Ｗ２よりも狭い。このため、図６に示すように、胸部周辺のシルエットが緩く見えてしまう。また、図５に示すように、従来のウエディングドレス１００のウエスト切り替え線１３１は、ウエストライン（ＷＬ）からヒップライン（ＨＬ）の間、すなわち腰部を周回するように形成されている。このため、図６に示すように、ウエスト切り替え線１３１はウエストよりも下方となるので、本実施形態のウエディングドレス１は下半身が相対的に長く見える。
【００４２】
以上に説明したウエディングドレス１は、ウエスト切り替え線３１を上述したような形状とすることで、日々増大する腹部に対して負担をかけることなく可動してゆとりを与えるとともに、ウエストの位置を高くして下半身を長く見せることで美しいシルエットを演出することができる。
【００４３】
さらに、前身頃１１の幅Ｗ１と前脇身頃の幅Ｗ２との比率をおよそ４０：６０とした。従来のウエディングドレス１００の前身頃と前脇身頃の幅の比率（Ｗ３：Ｗ４）はおよそ４２：５８である。このように、思い切って前脇身頃の幅Ｗ２を広くとることで、胸部をコンパクトかつ立体的に美しく見せることができる。なお、比率としては僅かな差に思われるが、後述する図８及び図９に示すように、見た目には非常に大きな差として現われる。
【００４４】
なお、上述したウエディングドレス１は妊婦用を想定して説明したが、妊婦に限定されるものではない。さらに、本発明はウエディングドレスに限定されず、任意の用途のドレスに適用できる。
【００４５】
また、ウエスト切り替え線３１は、脇線においてウエストラインよりも下方に位置していたが、必ずしもこのような形状に限定されない。すなわち、身体の正面のウエストラインより上方から、左右の脇線５１に向けて下方に位置していればよく、脇線５１においてウエストラインよりも上方に位置していてもよい。
【００４６】
〈実施例〉
図８は、実施形態１のウエディングドレス１（以下、実施例と称する）を製作し、マネキンに着せた写真である。図９は、従来の１１号のウエディングドレス（以下、比較例と称する）を製作し、図８と同じマネキンに着せた写真である。図８及び図９は、左上が全身の正面、右上が上半身の正面、左下が全身の背面、右下が全身の側面の写真である。また、図８及び図９のウエディングドレスは何れもマネキンの腹部に合わせたサイズである。
【００４７】
実施例は、全体的にすっきりとした身体にフィットした美しいシルエットが演出されている。一方、比較例は、増大した腹部に合わせているため、胸部がぶかぶかになってしまう。このため、上半身部分を身体に合うように詰めているため、全体として美しいシルエットにはなりにくい。このように、実施例は、比較例よりも美しいシルエットを演出することができている。
【符号の説明】
【００４８】
１…ウエディングドレス、１０…上半身部、１１…前身頃、１２…前脇身頃、１３…後脇身頃、１４…後身頃、２０…スカート、３０…パネル切り替え線、３１…ウエスト切り替え線
【図１】
2020007672.tif 000003
【図２】
2020007672.tif 000004
【図３】
2020007672.tif 000005
【図４】
2020007672.tif 000006
【図５】
2020007672.tif 000007
【図６】
2020007672.tif 000008
【図７】
2020007672.tif 000009
【図８】
2020007672.tif 000010
【図９】
2020007672.tif 000011